(57)【特許請求の範囲】
【請求項１】
鉛直方向に設置される筒状のポールと、
前記ポールの上部に固定される筒状のポール受部と、
前記ポール受部の上端部が挿入されるポール受部取付孔を有する平板状の部分を備え、前記ポール受部の前記上端部が前記ポール受部取付孔に挿入された状態で前記平板状の部分が前記ポール受部に固定され、かつ太陽電池および前記太陽電池により発電される電力を蓄える電源装置が固定される器具本体と、
前記ポール受部の内面に固定される本体部を備え、前記器具本体の前記平板状の部分が前記ポール受部に固定された状態では、前記本体部の上端部は前記平板状の部分の前記ポール受部取付孔を貫通して前記平板状の部分の上側に位置し、かつ前記本体部の前記上端部に連続する鍔部が設けられ、前記鍔部は、前記平板状の部分の上面とは非接触の状態で、前記本体部の上端部から前記ポール受部取付孔の外側へと突出して形成され、前記器具本体の前記平板状の部分が前記ポール受部から外れる場合に、前記平板状の部分を前記鍔部に係合させることで前記器具本体の落下を防止する落下防止金具と、を備える太陽光発電装置。
【請求項２】
請求項１に記載の太陽光発電装置において、
一対の前記落下防止金具の前記各本体部が、前記ポール受部の内面の、前記ポールの径方向における対向する位置に固定される太陽光発電装置。
【請求項３】
請求項１または請求項２に記載の太陽光発電装置における前記ポールに、前記電源装置から与えられる電力により点灯する発光部が固定されてなる照明器具。
【発明の詳細な説明】
【技術分野】
【０００１】
本発明は、太陽光を取り込んで電力を発生する太陽光発電装置および太陽光発電装置を装備して街路灯や天井灯等に適用される照明器具に関する。
【背景技術】
【０００２】
従来より、ランプを収容した器具本体と、器具本体を支持するポールと、器具本体およびポールに連結されるワイヤとを備えた太陽光発電装置および照明器具が知られている（例えば、特許文献１参照）。
特許文献１は、ワイヤのポール側の端部がリング状に形成されており、ポールの内側に、ワイヤを係止させるための係止部を有する。
特許文献１は、長年の使用に伴い、万が一に、器具本体がポールから外れてしまった場合、器具本体に連結されているワイヤにより、落下しようとする器具本体をぶら下げて保持する。
【先行技術文献】
【特許文献】
【０００３】
【特許文献１】特開２０１０−２７２２３３号公報（図５、請求項１）
【発明の概要】
【発明が解決しようとする課題】
【０００４】
特許文献１は、施工時の組立作業性および配線作業性を良好にして腐食や金属疲労に伴う落下を防止する防止機能を向上できる。
しかし、特許文献１は、ワイヤの強度に限界があるために、ワイヤで支える器具本体の重量が軽いものに限定される。
そのため、特許文献１は、大きい重量を有する器具本体に適用するためには、ワイヤの径を大きくする必要があり、その結果、大きい径のワイヤをポール内の狭い空間において係止部に係止しなければならない。
従って、特許文献１は、施工時の組立作業性が良好ではない。
【０００５】
本発明は、前述した課題を解決するためになされたものであり、その目的は、施工時の組立作業性を良好にして構成部品の落下を防止できる太陽光発電装置および照明器具を提供することにある。
【課題を解決するための手段】
【０００６】
本発明に係る太陽光発電装置は、鉛直方向に設置される筒状のポールと、前記ポールの上部に固定される筒状のポール受部と、前記ポール受部の上端部が挿入されるポール受部取付孔を有する平板状の部分を備え、前記ポール受部の前記上端部が前記ポール受部取付孔に挿入された状態で前記平板状の部分が前記ポール受部に固定され、かつ太陽電池および前記太陽電池により発電される電力を蓄える電源装置が固定される器具本体と、前記ポール受部の内面に固定される本体部を備え、前記器具本体の前記平板状の部分が前記ポール受部に固定された状態では、前記本体部の上端部は前記平板状の部分の前記ポール受部取付孔を貫通して前記平板状の部分の上側に位置し、かつ前記本体部の前記上端部に連続する鍔部が設けられ、前記鍔部は、前記平板状の部分の上面とは非接触の状態で、前記本体部の上端部から前記ポール受部取付孔の外側へと突出して形成され、前記器具本体の前記平板状の部分が前記ポール受部から外れる場合に、前記平板状の部分を前記鍔部に係合させることで前記器具本体の落下を防止する落下防止金具と、を備える。
【０００７】
本発明に係る太陽光発電装置は、一対の前記落下防止金具の前記各本体部が、前記ポール受部の内面の、前記ポールの径方向における対向する位置に固定される。
【０００８】
本発明に係る照明器具は、上記いずれかの太陽光発電装置における前記ポールに、前記電源装置から与えられる電力により点灯する発光部が固定されてなる。
【発明の効果】
【０００９】
本発明に係る太陽光発電装置および照明器具によれば、施工時の組立作業性を良好にして構成部品の落下を防止できるという効果を奏する。
【図面の簡単な説明】
【００１０】
【図１】本発明に係る一実施形態の太陽光発電装置を装備する照明器具の正面図
【図２】本発明に係る一実施形態の照明器具の右側面図
【図３】本発明に係る一実施形態の照明器具の器具本体の一部破断右側面図
【図４】本発明に係る一実施形態の照明器具の器具本体の背面図
【図５】本発明に係る一実施形態の照明器具の器具本体とポール受部との取付部分の外観斜視図
【図６】本発明に係る一実施形態の照明器具の通常時の器具本体の一部破断側面図
【図７】本発明に係る一実施形態の照明器具の通常時のポール受部周りの一部破断側面図
【図８】本発明に係る一実施形態の照明器具の緊急時の器具本体の一部破断側面図
【図９】本発明に係る一実施形態の照明器具の緊急時のポール受部周りの一部破断側面図
【発明を実施するための形態】
【００１１】
以下、本発明に係る一実施形態の太陽光発電装置および照明器具について図面を参照して説明する。
図１に示すように、本発明に係る一実施形態の照明器具１０は、太陽光発電装置１１と、発光部１２とを備える。
太陽光発電装置１１は、鉛直方向に地面９０上に設置される筒状のポール１３と、ポール１３の上部に設けられたポール受部１４と、ポール受部１４に固定される器具本体１５とを備える。
また、図２に示すように、太陽光発電装置１１は、器具本体１５に収容された太陽電池１６および太陽電池１６により発電された電力を蓄える電源装置１７を備え、ポール受部１４の内面に支持されて器具本体１５に挿入される一対の落下防止金具（図５参照）１８を備える。
発光部１２は、電源装置１７から与えられる電力により点灯する。
【００１２】
ポール１３は、例えばアルミニウム製の型材により円筒形状に形成されており、その基部に、地面９０に埋設されるアンカー１９を備えている。
ポール受部１４は、溶接が可能な金属製であって、ポール１３の上端部に取り付けられており、上部に、同じく溶接が可能な金属製の器具本体１５が固定されている。
発光部１２は、ポール１３の上端部寄りにおいて、斜め上方に向けて取り付けられているブラケット２０の下面に固定されている。
発光部１２は、例えば不図示の複数のＬＥＤをＬＥＤ基板に封止したＬＥＤユニットであり、地面９０に向けた配光特性を有する。
【００１３】
図２に示すように、ポール受部１４は、ポール１３の上端部にねじ２１がねじ込まれることにより固定されている。ポール受部１４は、設置場所において太陽電池１６が太陽に向くようにするために傾斜状に形成された器具本体取付部２２を有する。
太陽光発電装置１１は、太陽に向く器具本体１５の前面に太陽電池１６を配置しており、器具本体１５の後面に電源装置１７を配置している。
【００１４】
図３に示すように、ポール受部１４は、ポール１３の上端部に外装される筒部２３に、複数のねじ孔２４を有する。ねじ孔２４には、ポール１３の上端部にねじ込まれるねじが挿通される。
図４に示すように、太陽電池１６は、器具本体１５の裏面にねじ２５がねじ込まれることにより固定されており、例えば回路基板等を通じて電源装置１７に電気的に接続される。
電源装置１７は、器具本体１５の裏面の上部にねじ２６がねじ込まれることにより固定されており、不図示の配線がポール受部１４の内部を通じて発光部１２（図１、図２参照）まで配策されている。
【００１５】
図５に示すように、器具本体１５は、ポール受部１４に対応した位置にポール受部取付孔２７が形成されている。ポール受部取付孔２７は、ポール受部１４の傾斜状の器具本体取付部２２の外径寸法よりもわずかに大きい内径寸法を有する。
ポール受部１４は、傾斜状の器具本体取付部２２が器具本体１５のポール受部取付孔２７に挿入された後に溶接等の接合手段により器具本体１５に固定されている。
【００１６】
落下防止金具１８は、ポール受部１４の内面に溶接等の接合手段により固定された本体２８を有し、この本体２８の上部に、Ｌ字形状に屈曲された鍔部２９を有する。
落下防止金具１８は、鍔部２９が、ポール１３の軸線方向に対して交差する方向に湾曲または直角に曲げられている。
落下防止金具１８は、太陽電池１６の取付面に対して平行に鍔部２９が配置されるように器具本体１５のポール受部取付孔２７に挿入されており、鍔部２９がポール受部取付孔２７の外方に突出されている。
【００１７】
このとき、鍔部２９の折曲方向は、ポール１３の軸線方向、つまりは、器具本体１５の傾斜方向に対して直交する方向であるが、これに限らず、器具本体１５の傾斜方向に沿っていてもよい。
また、落下防止金具１８は、ポール受部１４の器具本体取付部２２において、ポール１３の径方向に沿った対向位置に一対に設けられていることが好ましい。但し、落下防止金具１８は１個であってもよい。
【００１８】
落下防止金具１８は、ポール受部１４の器具本体取付部２２が器具本体１５のポール受部取付孔２７に固定された状態において、一対の鍔部２９が、器具本体１５の上面からあらかじめ定められた距離（図７参照）Ｌ１だけ離れて配置されている。
落下防止金具１８は、ポール１３やポール受部１４や器具本体１５に腐食や金属疲労が生ずる時期よりも十分に長い耐食特性を有し、太陽電池１６および電源装置１７が収容された器具本体１５の重量に十分に耐えることができる強度を有する。
【００１９】
次に、照明器具１０の施工について説明する。
組立工場において、器具本体１５に太陽電池１６および電源装置１７が取り付けられ、一対の落下防止金具１８が固定されたポール受部１４の器具本体取付部２２が器具本体１５のポール受部取付孔２７に溶接等により固定される。
次に、ポール受部１４がポール１３の上端部に外装された後にねじ止めされ、電源装置１７が発光部１２に電気的に接続される。
【００２０】
そして、所定の場所において、ポール１３のアンカー１９が地面９０に埋設されることにより設置される。
このように、照明器具１０は、施工時に、従来のように、ワイヤをポールの内側の係止部に係止させるような作業を行わないため、施工時の組立作業性を良好にできる。
【００２１】
次に、落下防止金具１８の作用について説明する。
図６および図７に示すように、通常時、落下防止金具１８の鍔部２９は、器具本体１５の上面からあらかじめ定められた距離Ｌ１だけ離れた位置において、太陽電池１６の取付面に平行に配置されている。
【００２２】
図８および図９に示すように、経年劣化により、ポール受部１４の器具本体取付部２２と器具本体１５のポール受部取付孔２７との間の溶接部分に腐食や金属疲労が生じる。
そして、この状態において、台風等の風雨が伴うと、器具本体１５のポール受部取付孔２７とポール受部１４の器具本体取付部２２との溶接部分が破壊されることがありうる。
【００２３】
このとき、器具本体１５が図８に示す矢印方向に傾斜した場合、落下防止金具１８の鍔部２９が器具本体１５のポール受部取付孔２７の外側に係合される（図９）。
そのため、器具本体１５が図８に示す矢印方向に傾斜したとしても、落下防止金具１８の鍔部２９が器具本体１５のポール受部取付孔２７の外側に係合されることにより、器具本体１５の落下が防止される。
【００２４】
これとは異なり、器具本体１５が図８に示す矢印方向とは反対側に傾斜した場合、同様にして、落下防止金具１８の鍔部２９が器具本体１５のポール受部取付孔２７の外側に係合される。
そのため、器具本体１５が図８に示す矢印方向とは反対側に傾斜したとしても、落下防止金具１８の鍔部２９が器具本体１５のポール受部取付孔２７の外側に係合されることにより、器具本体１５の落下が防止される。
【００２５】
以上、説明した本発明に係る一実施形態の太陽光発電装置１１によれば、器具本体１５とポール受部１４との溶接部分が破壊されて器具本体１５が傾斜したとしても、落下防止金具１８の鍔部２９が器具本体１５のポール受部取付孔２７の外側に係合される。
従って、太陽光発電装置１１によれば、落下防止金具１８の鍔部２９が器具本体１５のポール受部取付孔２７の外側に係合されることにより、器具本体１５の落下が防止される。
また、太陽光発電装置１１によれば、施工時に、従来のように、ワイヤをポールの内側の係止部に係止させるような作業を行わないため、施工時の組立作業性を良好にできる。
【００２６】
太陽光発電装置１１によれば、落下防止金具１８の鍔部２９が、ポール１３の軸線方向に対して交差する方向に湾曲または直角に曲げられているために、簡単に製造でき、器具本体１５が大きい重量であったとしても、器具本体１５を確実に保持できる。
【００２７】
照明器具１０によれば、太陽光発電装置１１の電源装置１７から与えられた電力により発光部１２を点灯でき、施工時の組立作業性を良好にして太陽光発電装置１１の器具本体１５の落下を防止できる。
【００２８】
なお、本発明の太陽光発電装置および照明器具において器具本体，太陽電池，電源装置，発光部等は、前述した一実施形態に限定されるものでなく、適宜な変形や改良等が可能である。
【符号の説明】
【００２９】
１０  照明器具
１１  太陽光発電装置
１２  発光部
１３  ポール
１４  ポール受部
１５  器具本体
１６  太陽電池
１７  電源装置
１８  落下防止金具
【図１】
0005845470.tif 000002
【図２】
0005845470.tif 000003
【図３】
0005845470.tif 000004
【図４】
0005845470.tif 000005
【図５】
0005845470.tif 000006
【図６】
0005845470.tif 000007
【図７】
0005845470.tif 000008
【図８】
0005845470.tif 000009
【図９】
0005845470.tif 000010